(57)【要約】【課題】店舗のレジにおける迅速かつ効率的な会計処理を可能とすることを課題とする。【解決手段】入金専用機１０は、顧客Ａから入金を受け付け（Ｓ１１）、事前入金金額を関連付けた事前入金レシートＲＣを発行する（Ｓ１２）。ＰＯＳレジ２０は、商品Ｓのバーコードをスキャンして（Ｓ１３）、会計金額を算定する（Ｓ１４）とともに、事前入金レシートＲＣを読み取って（Ｓ１５）、事前入金金額を特定する（Ｓ１６）。ＰＯＳレジ２０は、事前入金金額を用いて会計金額分の会計処理を行い（Ｓ１７）、事前入金金額と会計金額との差分を釣銭として算定する（Ｓ１８）。そして、釣銭分の貨幣を釣銭機３０から出金させる（Ｓ１９）。【選択図】図１
2019106073.tif 000002
【特許請求の範囲】
【請求項１】
貨幣の入金を受け付ける貨幣受付部と、
前記貨幣受付部により受け付けられた貨幣を収納する貨幣収納部と、
前記貨幣受付部により受け付けられた貨幣の金額に対応する有価価値を、商品の会計に利用される所定の媒体に関連付ける関連付処理部と
を備えたことを特徴とする貨幣入金機。
【請求項２】
前記有価価値は、所定の貨幣処理装置を用いた商品の会計に利用可能な有価価値であることを特徴とする請求項１に記載の貨幣入金機。
【請求項３】
前記有価価値は、所定の貨幣処理装置を用いた商品の当日会計に利用可能な有価価値であることを特徴とする請求項１に記載の貨幣入金機。
【請求項４】
顧客により所持された記憶媒体に記憶された情報を読み取る読取部をさらに備え、
前記関連付処理部は、
前記貨幣受付部により受け付けられた貨幣の金額に対応する有価価値及び前記読取部により読み取られた情報を、商品の会計に利用される所定の媒体に関連付ける
ことを特徴とする請求項１乃至３のいずれか一つに記載の貨幣入金機。
【請求項５】
前記関連付処理部は、
前記貨幣受付部により受け付けられた貨幣の金額に対応する有価価値のコードを生成するコード生成部と、
前記コード生成部により生成されたコードを商品の会計に利用される所定のレシートに印字する印字部と、
前記印字部により前記コードが印字されたレシートを発行するレシート発行部と
を備えたことを特徴とする請求項１乃至４のいずれか一つに記載の貨幣入金機。
【請求項６】
前記関連付処理部は、
前記貨幣受付部により受け付けられた貨幣の金額に対応する有価価値のデータを生成するデータ生成部と、
前記データ生成部により生成された有価価値のデータを商品の会計に利用される所定の記憶媒体に格納するよう制御する制御部と
を備えたことを特徴とする請求項１乃至４のいずれか一つに記載の貨幣入金機。
【請求項７】
販売時点管理装置と、貨幣を識別及び計数して収納部に収納するとともに釣銭の払い出しを行う貨幣処理装置とを通信可能に接続した会計システムであって、
貨幣の入金を受け付ける貨幣受付部と、前記貨幣受付部により受け付けられた貨幣を収納する貨幣収納部と、前記貨幣受付部により受け付けられた貨幣の金額に対応する有価価値を、前記貨幣処理装置における商品の会計に利用される所定の媒体に関連付ける関連付処理部とを有する貨幣入金機を備え、
前記販売時点管理装置は、
前記所定の媒体に関連付けられた有価価値に対応する貨幣の金額が前記商品の金額よりも大きい場合に、前記貨幣の金額と前記商品の金額との差分を釣銭として出金するよう前記貨幣処理装置に対して指示する
ことを特徴とする会計システム。
【請求項８】
前記貨幣入金機及び前記貨幣処理装置と通信可能に接続され、前記所定の媒体を一意に識別する識別情報と該所定の媒体に関連付けられた有価価値とを対応付けて記憶する記憶部を有する管理装置
をさらに備えたことを特徴とする請求項７に記載の会計システム。
【請求項９】
前記貨幣入金機は、
前記関連付け処理部による関連付けが行われたことを条件として、前記所定の媒体を一意に識別する識別情報及び該所定の媒体に関連付けられた有価価値を含む関連付け情報を前記管理装置に通知する関連付け情報通知部をさらに備え、
前記貨幣処理装置は、
前記所定の媒体の識別情報を取得する識別情報取得部と、
前記識別情報取得部により取得された識別情報に対応する有価価値を前記管理装置に対して要求する有価価値要求部と、
前記管理装置から通知された所定の媒体の識別情報に対応する有価価値に対応する貨幣の金額が前記商品の金額よりも大きい場合に、前記貨幣の金額と前記商品の金額との差分を釣銭として出金するよう制御する制御部とを備えた
ことを特徴とする請求項８に記載の会計システム。
【請求項１０】
前記販売時点管理装置は、
前記所定の媒体に関連付けられた有価価値に対応する貨幣の金額が前記商品の金額よりも小さい場合に追加の貨幣の入金を受け付けるよう前記貨幣処理装置に対して指示し、前記貨幣処理装置が受け付けた追加の貨幣の金額と前記有価価値に対応する貨幣の金額とを合算して前記商品の会計を行う
ことを特徴とする請求項７〜９のいずれか一つに記載の会計システム。
【発明の詳細な説明】
【技術分野】
【０００１】
本発明は、店舗のレジにおける迅速かつ効率的な会計処理を可能とする貨幣入金機及び会計システムに関する。
【背景技術】
【０００２】
従来、スーパーマーケット等の各種店舗のレジには、販売時点管理機能を有する金銭登録機（以下、「ＰＯＳレジ」と言う）と、該ＰＯＳレジと通信可能に接続された貨幣処理装置（以下、「釣銭機」と言う）とが配設されることが多い。例えば、レジ係員がＰＯＳレジのバーコードリーダにより商品に付されたバーコードを読み取って商品の価格を特定するとともに、レジ係員が顧客から受け取った貨幣を釣銭機に投入すると、該釣銭機から釣銭が出金される。
【０００３】
例えば、特許文献１には、釣銭機から釣銭を投出後にレジ係員が顧客から貨幣を受け付け、この貨幣を追金金額としてキー入力した場合に、キー入力された追金金額と既に投出した釣銭金額とを加算して新たな釣銭金額を算出し、算出された釣銭金額の貨幣を最小構成枚数で釣銭機から投出させる技術が開示されている。この特許文献１によれば、一旦釣銭機から釣銭（例えば、４５０円）が投出された後であっても、顧客が自らの財布を調べて該財布の中に５０円が存在することが分かり、該顧客から端数の貨幣（例えば、５０円）をレジ係員が受け取ったならば、新たな釣銭（例えば、５００円硬貨１枚）を払い出すことが可能となる。
【先行技術文献】
【特許文献】
【０００４】
【特許文献１】特開平１０−４９７５１号公報
【発明の概要】
【発明が解決しようとする課題】
【０００５】
しかしながら、上記特許文献１によれば、レジ係員による処理遅延を招くために、商品の会計を待つ顧客の待ち行列を誘発するという問題がある。そもそも、レジ担当者は、各商品に付されたコードをそれぞれスキャンして会計金額を確定するとともに、顧客から貨幣を受け取って釣銭機に入金し、該釣銭機から出金された釣銭を確認した後に該釣銭を顧客に受け渡すという一連の処理を行わねばならない。加えて、レジ係員は、顧客からポイントカードを受け取った場合には、該ポイントカードの処理を行った後に、ポイントカードを顧客に返却する等の対応を行わねばならない。レジ担当者は、このような一連の手順を行わなければならないため、顧客が集中する時間帯においては、レジに待ち行列が発生するという問題が生ずる。
【０００６】
このため、店舗に配設されたＰＯＳレジと釣銭機とを用いて顧客が購入する商品の会計を行う場合に、いかに迅速かつ効率的な会計処理を可能とするかが重要な課題となっている。かかる課題は、レジ係員が商品の金銭登録だけを行い、顧客に商品の会計を行わせるセミセルフレジシステムや、顧客自身に商品の金銭登録及び会計を行わせるセルフレジシステムにおいても、同様に生ずる課題である。
【０００７】
本発明は、上記従来技術の課題を解決するためになされたものであって、店舗のレジにおける迅速かつ効率的な会計処理を可能とする貨幣入金機及び会計システムを提供することを目的とする。
【課題を解決するための手段】
【０００８】
上述した課題を解決し、目的を達成するため、本発明は、貨幣の入金を受け付ける貨幣受付部と、前記貨幣受付部により受け付けられた貨幣を収納する貨幣収納部と、前記貨幣受付部により受け付けられた貨幣の金額に対応する有価価値を、商品の会計に利用される所定の媒体に関連付ける関連付処理部とを備えたことを特徴とする。
【０００９】
また、本発明は、上記発明において、前記有価価値は、所定の貨幣処理装置を用いた商品の会計に利用可能な有価価値であることを特徴とする。
【００１０】
また、本発明は、上記発明において、前記有価価値は、所定の貨幣処理装置を用いた商品の当日会計に利用可能な有価価値であることを特徴とする。
【００１１】
また、本発明は、上記発明において、顧客により所持された記憶媒体に記憶された情報を読み取る読取部をさらに備え、前記関連付処理部は、前記貨幣受付部により受け付けられた貨幣の金額に対応する有価価値及び前記読取部により読み取られた情報を、商品の会計に利用される所定の媒体に関連付けることを特徴とする。
【００１２】
また、本発明は、上記発明において、前記関連付処理部は、前記貨幣受付部により受け付けられた貨幣の金額に対応する有価価値のコードを生成するコード生成部と、前記コード生成部により生成されたコードを商品の会計に利用される所定のレシートに印字する印字部と、前記印字部により前記コードが印字されたレシートを発行するレシート発行部とを備えたことを特徴とする。
【００１３】
また、本発明は、上記発明において、前記関連付処理部は、前記貨幣受付部により受け付けられた貨幣の金額に対応する有価価値のデータを生成するデータ生成部と、前記データ生成部により生成された有価価値のデータを商品の会計に利用される所定の記憶媒体に格納するよう制御する制御部とを備えたことを特徴とする。
【００１４】
また、本発明は、販売時点管理装置と、貨幣を識別及び計数して収納部に収納するとともに釣銭の払い出しを行う貨幣処理装置とを通信可能に接続した会計システムであって、貨幣の入金を受け付ける貨幣受付部と、前記貨幣受付部により受け付けられた貨幣を収納する貨幣収納部と、前記貨幣受付部により受け付けられた貨幣の金額に対応する有価価値を、前記貨幣処理装置における商品の会計に利用される所定の媒体に関連付ける関連付処理部とを有する貨幣入金機を備え、前記販売時点管理装置は、前記所定の媒体に関連付けられた有価価値に対応する貨幣の金額が前記商品の金額よりも大きい場合に、前記貨幣の金額と前記商品の金額との差分を釣銭として出金するよう前記貨幣処理装置に対して指示することを特徴とする。
【００１５】
また、本発明は、上記発明において、前記貨幣入金機及び前記貨幣処理装置と通信可能に接続され、前記所定の媒体を一意に識別する識別情報と該所定の媒体に関連付けられた有価価値とを対応付けて記憶する記憶部を有する管理装置をさらに備えたことを特徴とする。
【００１６】
また、本発明は、上記発明において、前記貨幣入金機は、前記関連付け処理部による関連付けが行われたことを条件として、前記所定の媒体を一意に識別する識別情報及び該所定の媒体に関連付けられた有価価値を含む関連付け情報を前記管理装置に通知する関連付け情報通知部をさらに備え、前記貨幣処理装置は、前記所定の媒体の識別情報を取得する識別情報取得部と、前記識別情報取得部により取得された識別情報に対応する有価価値を前記管理装置に対して要求する有価価値要求部と、前記管理装置から通知された所定の媒体の識別情報に対応する有価価値に対応する貨幣の金額が前記商品の金額よりも大きい場合に、前記貨幣の金額と前記商品の金額との差分を釣銭として出金するよう制御する制御部とを備えたことを特徴とする。
【００１７】
また、本発明は、上記発明において、前記販売時点管理装置は、前記所定の媒体に関連付けられた有価価値に対応する貨幣の金額が前記商品の金額よりも小さい場合に追加の貨幣の入金を受け付けるよう前記貨幣処理装置に対して指示し、前記貨幣処理装置が受け付けた追加の貨幣の金額と前記有価価値に対応する貨幣の金額とを合算して前記商品の会計を行うことを特徴とする。
【発明の効果】
【００１８】
本発明によれば、店舗のレジにおける迅速かつ効率的な会計処理が可能となり、レジでの顧客の待ち行列を軽減することができる。
【図面の簡単な説明】
【００１９】
【図１】図１は、本実施例に係る会計システムの概念を説明するための説明図である。
【図２】図２は、店舗のレイアウトの具体例についての説明図である。
【図３】図３は、入金専用機の外観構成を示す外観構成図である。
【図４】図４は、図３に示した入金専用機の内部構成を示す機能ブロック図である。
【図５】図５は、紙幣処理ユニットの構成を示す構成図である。
【図６】図６は、入金専用機の処理手順を示すフローチャートである。
【図７】図７は、ＰＯＳレジ及び釣銭機の外観構成を示す外観構成図である。
【図８】図８は、ＰＯＳレジ及び釣銭機の機能構成を示す機能ブロック図である。
【図９】図９は、紙幣処理ユニットの構成を示す構成図である。
【図１０】図１０は、硬貨処理ユニットの構成を示す構成図である。
【図１１】図１１は、ＰＯＳレジの処理手順を示すフローチャートである。
【図１２】図１２は、顧客が携行する媒体に事前入金金額を関連付ける場合の説明図である。
【図１３】図１３は、図１２に示した管理装置の構成を示す機能ブロック図である。
【図１４】図１４は、図１３に示した事前入金テーブルの説明図である。
【図１５】図１５は、管理装置の処理手順を示すフローチャートである。
【図１６】図１６は、事前入金金額を関連付けた媒体を複数の店舗で使用可能とする構成の説明図である。
【図１７】図１７は、セミセルフレジを採用したレイアウトの具体例についての説明図である。
【図１８】図１８は、図１７に示したＰＯＳレジの機能構成を示す機能ブロック図である。
【図１９】図１９は、図１７に示したＰＯＳレジの処理手順を示すフローチャートである。
【図２０】図２０は、図１７に示した会計装置の内部構成を示す機能ブロック図である。
【図２１】図２１は、図１７に示した会計装置の処理手順を示すフローチャートである。
【図２２】図２２は、セルフレジに用いられる会計装置の外観構成を示す外観構成図である。
【図２３】図２３は、図２２に示した会計装置の機能構成を示す機能ブロック図である。
【発明を実施するための形態】
【００２０】
以下に、本発明に係る貨幣入金機及び会計システムの実施例を図面に基づいて詳細に説明する。
【実施例１】
【００２１】
＜本実施例に係る会計システムの概念＞
まず、本実施例に係る会計システムの概念について説明する。図１は、本実施例に係る会計システムの概念を説明するための説明図である。本実施例に係る会計システムでは、スーパーマーケット等の店舗に有人レジＲ１と、入金専用機１０とを配設している。
【００２２】
有人レジＲ１には、販売時点管理機能を有する金銭登録機であるＰＯＳレジ２０と、ＰＯＳレジ２０に通信可能に接続された貨幣処理装置である釣銭機３０とが設置される。また、有人レジＲ１には、レジ係員Ｂが配置されている。
【００２３】
入金専用機１０は、例えば店舗の出入口の近傍に設置される貨幣入金機であり、顧客からの入金を受け付けると、入金額に対応する有価価値を関連付けた媒体の発行を行う。具体的には、入金専用機１０は、入金金額を示すバーコードを印字した事前入金レシートＲＣを発行する。この事前入金レシートＲＣは、有人レジＲ１における会計に使用可能である。
【００２４】
図１では、顧客Ａが入金専用機１０に１００００円分の貨幣を入金し（Ｓ１１）、入金専用機１０は、１００００円分の有価価値を関連付けた事前入金レシートＲＣを発行している（Ｓ１２）。
【００２５】
その後、顧客Ａが店舗内で所望の商品Ｓを見つけ、有人レジＲ１でレジ係員Ｂに商品Ｓ及び事前入金レシートＲＣを渡すと、レジ係員ＢはＰＯＳレジ２０のバーコードリーダを操作し、商品Ｓに付されたバーコード及び事前入金レシートＲＣを読み取らせる。
【００２６】
ＰＯＳレジ２０は、商品Ｓのバーコードをスキャンして（Ｓ１３）、会計金額を算定する（Ｓ１４）とともに、事前入金レシートＲＣを読み取って（Ｓ１５）、事前入金金額を特定する（Ｓ１６）。
【００２７】
ＰＯＳレジ２０は、事前入金金額を用いて会計金額分の会計処理を行い（Ｓ１７）、事前入金金額と会計金額との差分を釣銭として算定する（Ｓ１８）。そして、釣銭分の貨幣を釣銭機３０から出金させる（Ｓ１９）。
【００２８】
このように、本実施例にかかる会計システムでは、入金専用機１０が貨幣の入金を受け付け、貨幣の金額に対応する有価価値を事前入金金額として関連付けた事前入金レシートＲＣを発行し、ＰＯＳレジ２０は事前入金レシートＲＣから事前入金金額を読み取って会計処理を行い、必要に応じて釣銭を払い出す。かかる構成により、有人レジＲ１においてレジ係員Ｂが顧客Ａから貨幣を受け取って釣銭機３０に入金する必要がなくなるため、迅速かつ効率的な会計処理が可能となる。
【００２９】
次に、店舗のレイアウトの具体例について説明する。図２は、店舗のレイアウトの具体例についての説明図である。図２では、店舗１は２つの出入口を有し、それぞれの出入口の近傍に入金専用機１０を配置している。また、店舗１の内部には、複数の陳列棚と、３つの有人レジＲ１〜Ｒ３と、会計後の商品を袋詰めするためのサッカー台とが配置されている。
【００３０】
図２に示した店舗では、顧客が入店した後、まず入金専用機１０により事前の入金を行い、陳列棚で所望の商品を探し、有人レジＲ１〜Ｒ３で会計処理を行い、サッカー台で袋詰めをして退店するよう動線を形成している。このように、最初に入金を行わせることで、有人レジＲ１〜Ｒ３における待ち行列の発生を効果的に防ぐことができる。
【００３１】
＜入金専用機１０の構成と動作＞
次に、入金専用機１０の外観構成について説明する。図３は、入金専用機１０の外観構成を示す外観構成図である。図３に示すように、入金専用機１０は、表示操作部１１、音声出力部１２、カードリーダ１３、レシートプリンタ１４、紙幣投入口１８ａ及び紙幣払出口１８ｂを有する。なお、ここでは紙幣のみを取り扱う入金専用機１０を例に説明を行うが、入金専用機１０は紙幣と硬貨の双方を取り扱い可能であってもよい。
【００３２】
表示操作部１１は、画面の表示と画面上に表示されたボタン等の操作によって入力操作を受け付けるタッチパネルディスプレイ等の入出力部である。音声出力部１２は、音声による操作のガイドや注意メッセージなどを出力する出力部である。
【００３３】
カードリーダ１３は、ポイントカードなどから各種情報の読み取りを行うユニットである。レシートプリンタ１４は、事前入金レシートＲＣの発行などに用いられる。紙幣投入口１８ａは、事前入金用の紙幣の投入に用いられる。紙幣払出口１８ｂは、紙幣の投出に用いられる。紙幣の投出は、例えば、投入された紙幣の金額の一部のみを事前入金分とし、差分の紙幣を返却する場合に行われる。また、事前入金の取消による投入済の紙幣の返却や金種不明等の不適切な紙幣の返却を行う場合にも用いられる。
【００３４】
ここで、投入された紙幣の金額の一部のみを事前入金分とする場合について説明する。例えば、顧客が一万円札などの高額紙幣しか所持していない場合に、投入した紙幣の金額を全て事前入金分とするのではなく、その一部のみを事前入金分としたいと希望するケースが考えられる。そこで、表示操作部１１に「全額」、「１００００円」、「５０００円」、「３０００円」、「１０００円」などのように金額選択ボタンを表示させ、投入された紙幣の金額が選択された金額を上回る場合には、差分の紙幣を返却することで、顧客が所望の金額を事前入金できるようにすることが望ましい。
【００３５】
次に、図３に示した入金専用機１０の内部構成について説明する。図４は、図３に示した入金専用機１０の内部構成を示す機能ブロック図である。図４に示すように、入金専用機１０は、表示操作部１１、音声出力部１２、カードリーダ１３、レシートプリンタ１４、通信部１５、記憶部１６、制御部１７及び紙幣処理ユニット１８を有する。ここでは、既に説明した表示操作部１１、音声出力部１２、カードリーダ１３及びレシートプリンタ１４についての説明を省略する。また、紙幣を金種別に収納する紙幣処理ユニット１８の詳細については後述する。
【００３６】
通信部１５は、所定の通信回線を経由して店内の管理装置等と通信するためのインタフェース部である。記憶部１６は、フラッシュメモリ等の不揮発性メモリ又はハードディスク装置等の二次記憶媒体等からなる記憶デバイスであり、入金履歴データ１６ａを記憶する。
【００３７】
入金履歴データ１６ａは、入金専用機１０における入金の履歴を示すデータである。入金履歴データ１６ａには、例えば、入金の日時、金額、発行した事前入金レシートＲＣの識別番号などが示される。また、ポイントカードの読み取りが行われていたならば、ポイントカードの識別情報（ＩＤ）等も対応付けて記憶される。
【００３８】
制御部１７は、入金専用機１０の全体を制御する制御部であり、表示制御部１７ａ、貨幣受付部１７ｂ、事前入金金額特定部１７ｃ、ポイントカード処理部１７ｄ及び関連付処理部１７ｅを有する。
【００３９】
表示制御部１７ａは、表示操作部１１に表示する内容を制御する処理部である。例えば、表示制御部１７ａは、表示操作部１１に「全額」、「１００００円」、「５０００円」、「３０００円」、「１０００円」などのように金額選択ボタンを表示する。また、貨幣受付部１７ｂにより貨幣が受け付けられ、事前入金金額特定部１７ｃにより事前入金金額が特定されたならば、事前入金の結果を表示操作部１１に表示する。
【００４０】
貨幣受付部１７ｂは、紙幣投入口１８ａに投入された貨幣の受付を行う処理部である。具体的には、貨幣受付部１７ｂは、紙幣処理ユニット１８から投入された貨幣の金種及び枚数の通知を受けた場合に、その合計金額を投入金額とする。
【００４１】
事前入金金額特定部１７ｃは、事前入金金額の特定を行う処理部である。具体的には投入金額が金額選択ボタンの押下操作により指定された金額以上である場合に、金額選択ボタンに対応する金額を事前入金金額として特定する。ここで、投入金額が事前入金金額を上回る場合には、差分に対応する紙幣を紙幣処理ユニット１８に払い出させる。
【００４２】
ポイントカード処理部１７ｄは、カードリーダ１３にポイントカードが挿入された場合に、挿入されたポイントカードから識別情報であるＩＤやポイント残高等を読み取る処理を行う処理部である。
【００４３】
関連付処理部１７ｅは、事前入金金額に対応する有価価値を、商品の会計に利用される所定の媒体に関連付ける処理部である。具体的には、関連付処理部１７ｅは、コード生成部１７ｆ及び事前入金レシート発行部１７ｇを有する。
【００４４】
コード生成部１７ｆは、事前入金金額に対応する有価価値のコードを生成する処理を行う。このコードとしてはバーコードを用いることが好適である。ＰＯＳレジ２０は商品に付されたバーコードの読み取りのためにバーコードリーダを備えているからである。なお、２次元バーコードなど、他の形式のコードであってもよい。また、コード生成部１７ｆは、ポイントカード処理部１７ｄがポイントカードのＩＤやポイント残高を読み取っている場合には、ポイントカードのＩＤやポイントカード残高についてもコードの生成を行う。
【００４５】
事前入金レシート発行部１７ｇは、コード生成部１７ｆにより生成されたコードをレシートプリンタ１４に印字させる印字部としての機能と、コードが印字されたレシートである事前入金レシートＲＣを発行させるレシート発行部としての機能とを有する。事前入金レシートＲＣには、事前入金金額やポイントカードのＩＤ等を示すコードに加え、事前入金金額を示す文字列、発行日時、有効期限、事前入金レシートＲＣ自体の識別情報、ポイントカードのＩＤなどを印字することができる。
【００４６】
また、事前入金レシート発行部１７ｇは、事前入金レシートＲＣの発行を行った場合に、入金履歴データ１６ａを更新する。具体的には、入金の日時、金額、発行した事前入金レシートＲＣの識別番号などを入金履歴データ１６ａに登録することになる。さらに、ポイントカードの読み取りが行われていたならば、ポイントカードのＩＤ報等も対応付けて登録する。
【００４７】
次に、紙幣処理ユニット１８の詳細について説明する。図５は、紙幣処理ユニット１８の構成を示す構成図である。図５に示すように、紙幣処理ユニット１８は、紙幣受入部１８ｃと、紙幣払出部１８ｄと、カセット装着部１８ｅと、出金リジェクト部１８ｆと、周回搬送部１８ｇと、紙幣識別部１８ｈと、金種別の紙幣収納部１８ｉとを有する。
【００４８】
紙幣受入部１８ｃは、紙幣投入口１８ａに対する紙幣の投入を受け付け、１枚ずつ周回搬送部１８ｇに繰り出す処理部である。紙幣払出部１８ｄは、周回搬送部１８ｇから１枚ずつ搬送された紙幣を一時的に貯留し、払い出すべき全ての紙幣が揃った場合に紙幣払出口１８ｂから投出することで紙幣を払い出す処理部である。
【００４９】
カセット装着部１８ｅは、売上金の回収や釣銭の補充に用いる収納カセット１９を着脱可能である。出金リジェクト部１８ｆは、金種が識別できない等、出金に適さない紙幣を内部に集積する。例えば、出金処理時において紙幣収納部１８ｉから繰り出された紙幣のうち、重送や斜行等の搬送異常により紙幣識別部１８ｈで識別することができなかった紙幣は出金リジェクト部１８ｆに搬送される。なお、紙幣受入部１８ｃから取り込まれた紙幣のうち、入金処理時において汚損等により紙幣識別部１８ｈで識別することができなかった紙幣は、入金リジェクト紙幣として紙幣払出部１８ｄに返却される。
【００５０】
複数の紙幣収納部１８ｉは、それぞれ対応する金種が設定されており、設定された金種の紙幣を収納するとともに、収納されている紙幣を１枚ずつ繰出可能である。
【００５１】
周回搬送部１８ｇは、環状の周回搬送路を有しており、紙幣受入部１８ｃ、紙幣払出部１８ｄ、カセット装着部１８ｅ、出金リジェクト部１８ｆ及び複数の紙幣収納部１８ｉと周回搬送路との間には接続搬送路が設けられている。また、周回搬送路には、紙幣の金種、真偽、正損、表裏、搬送状態等の識別を行う紙幣識別部１８ｈが設けられている。
【００５２】
周回搬送部１８ｇは、図５における時計回りの方向及び反時計回りの方向に周回搬送路を回転駆動することで、紙幣を１枚ずつ搬送することができる。具体的には、紙幣を紙幣収納部１８ｉに収納する場合には、周回搬送路を図５における時計回りに回転駆動し、紙幣を紙幣収納部１８ｉから繰り出す場合には、周回搬送路を図５における反時計回りに回転駆動することになる。この回転駆動の制御に加え、周回搬送路と各接続搬送部との間で紙幣の搬送経路を切り換えることで、周回搬送部１８ｇは、紙幣の搬送先を制御する。
【００５３】
次に、入金専用機１０による処理手順について説明する。図６は、入金専用機１０の処理手順を示すフローチャートである。入金専用機１０は、表示操作部１１に表示した金額選択ボタンの押下操作を受け付ける（ステップＳ１０１）とともに、紙幣の投入を受け付ける（ステップＳ１０２）と、事前入金金額特定部１７ｃにより事前入金金額を特定する（ステップＳ１０３）。また、カードリーダ１３にポイントカードが挿入されたならば、ポイントカード処理部１７ｄがポイントカードからＩＤを取得する（ステップＳ１０４）。なお、ポイントカードからＩＤを取得するタイミングはあくまで一例であり、ステップＳ１０３の後に限定されるものではない。例えば、ステップＳ１０１よりも前の段階で予めポイントカードからＩＤを取得する処理手順で実施することも可能である。
【００５４】
その後、関連付処理部１７ｅのコード生成部１７ｆが事前入金金額とＩＤからコードを生成し（ステップＳ１０５）、事前入金レシート発行部１７ｇがコードをレシートプリンタ１４に印字させて事前入金レシートを発行する（ステップＳ１０６）。そして、投入金額が事前入金金額を超える場合には差分を釣銭として出金し（ステップＳ１０７）、処理を終了する。
【００５５】
＜ＰＯＳレジ２０及び釣銭機３０の構成と動作＞
次に、有人レジに設置されるＰＯＳレジ２０及び釣銭機３０の構成について説明する。図７は、ＰＯＳレジ２０及び釣銭機３０の外観構成を示す外観構成図である。図７に示すように、ＰＯＳレジ２０は、操作者用の表示部２１ａ、顧客用の表示部２１ｂ、操作キー等の操作部２１ｃ及びバーコードリーダ２２を有する。
【００５６】
釣銭機３０は、紙幣処理ユニット４０と、紙幣処理ユニット４０の隣に並ぶよう配置された硬貨処理ユニット５０とを備えており、紙幣処理ユニット４０及び硬貨処理ユニット５０の上方にＰＯＳレジ２０を載置することができる。
【００５７】
紙幣処理ユニット４０は、紙幣の入出金処理を行うユニットであり、紙幣投入口４１ａ及び紙幣払出口４２ａを有する。また、紙幣処理ユニット４０は、後述する出金リジェクト部４３及びカセット装着部４４を有する。
【００５８】
硬貨処理ユニット５０は、硬貨の入出金処理を行うユニットであり、硬貨投入口５１及び硬貨払出口５５を有する。さらに、硬貨処理ユニット５０は、釣銭機３０の表示操作部５６が設けられている。
【００５９】
図８は、ＰＯＳレジ２０及び釣銭機３０の機能構成を示す機能ブロック図である。図８に示すように、ＰＯＳレジ２０は、表示操作部２１、バーコードリーダ２２、カードリーダ２３、レシートプリンタ２４、通信部２５及びＰＯＳ制御部２６を有する。
【００６０】
表示操作部２１は、表示部２１ａ、表示部２１ｂ及び操作部２１ｃによって操作者や顧客に対する情報出力と、操作者からの入力受付とを行う。バーコードリーダ２２は、商品に付されたバーコードを読み取ることで商品の名称や価格等の情報を取得することができる。また、バーコードリーダ２２は、事前入金レシートからのコードの読み取りにも用いられる。カードリーダ２３は、クレジットカード、デビットカード、プリペイドカード等のペイメントカードによる会計時に用いられる。
【００６１】
レシートプリンタ２４は、取引内容を印字した会計レシートの発行に用いられる。会計レシートに印字される取引内容は、例えば日時、登録された商品の名称、価格、投入された貨幣の金額や事前入金金額、釣銭の金額、ポイント残高などである。通信部２５は、釣銭機３０や外部のサーバとの通信を行う通信インタフェースである。
【００６２】
ＰＯＳ制御部２６は、ＰＯＳレジ２０を全体制御する制御部であり、購入商品登録部２６ａ、事前入金金額取得部２６ｂ、会計金額算定部２６ｃ、会計処理部２６ｄ及び会計レシート発行部２６ｅを有する。
【００６３】
購入商品登録部２６ａは、購入対象となる商品の登録を行う処理部である。具体的には、バーコードリーダ２２が商品に付されたバーコードを読み取って商品の名称や価格等の情報を取得した場合に、購入商品登録部２６ａは、取得された情報を用いて商品の登録を行い、登録した商品を表示部２１ａなどに表示する。
【００６４】
事前入金金額取得部２６ｂは、バーコードリーダ２２により事前入金レシートに印字されたコードを読み取って事前入金金額を取得する処理を行う。また、事前入金レシートに印字されたコードにポイントカードのＩＤが含まれている場合には、ポイントカードのＩＤの取得をさらに行う。
【００６５】
会計金額算定部２６ｃは、購入商品登録部２６ａにより登録された全ての商品の価格を合計することで会計金額を算定し、表示部２１ａなどに表示する処理を行う。
【００６６】
会計処理部２６ｄは、会計金額算定部２６ｃにより算定された会計金額の決済を行って取引を完了する会計処理を行う処理部である。会計金額の決済は、事前入金金額を用いて行うことができる。事前入金金額を用いて会計処理を行う場合に、事前入金金額が不足しているならば、釣銭機３０に対する追加入金を受け付けて、入金された金額を事前入金金額に加算し、会計処理を行うことが可能である。また、事前入金金額を用いて会計処理を行う場合に、事前入金金額が会計金額を超えているならば、その差分を釣銭として釣銭機３０に払い出させる。
【００６７】
なお、会計処理はペイメントカードや現金により行うこともできる。ペイメントカードによる決済が選択された場合には、会計処理部２６ｄは、カードリーダ２３に挿入されたペイメントカードからカードＩＤ等の情報を取得し、会計金額とともに外部のサーバに送信することで決済を行う。また、現金による決済が選択された場合には、会計処理部２６ｄは、釣銭機３０に会計金額を送信し、釣銭機３０から会計完了通知を受信した場合に決済を完了する。
【００６８】
会計レシート発行部２６ｅは、会計処理が完了した場合に、レシートプリンタ２４により会計レシートの発行を行う処理部である。会計レシートには、既に説明したように、日時、登録された商品の名称、価格、投入された貨幣の金額や事前入金金額、釣銭の金額、ポイント残高などが印字される。
【００６９】
釣銭機３０は、紙幣処理ユニット４０及び硬貨処理ユニット５０で構成されている。紙幣処理ユニット４０は、紙幣を金種別に収納するユニットであり、硬貨処理ユニット５０は硬貨を金種別に収納するユニットである。
【００７０】
紙幣処理ユニット４０は、通信部４９ａ、紙幣受入部４１、周回搬送部４５、紙幣識別部４６、紙幣収納部４７、出金リジェクト部４３、紙幣払出部４２、カセット装着部４４、紙幣記憶部４８及び紙幣釣銭制御部４９を備えている。通信部４９ａは、通信線を通して硬貨処理ユニット５０とのデータ通信を行うためのインタフェース部である。紙幣処理ユニット４０はＰＯＳレジ２０と直接通信線で接続されていないが、硬貨処理ユニット５０を経由することによってＰＯＳレジ２０と通信することができるよう構成されている。
【００７１】
紙幣記憶部４８は、フラッシュメモリ等の不揮発性メモリ又はハードディスク装置等の二次記憶媒体等からなる記憶デバイスであり、紙幣在高データ４８ａなどを記憶する。紙幣在高データ４８ａは、紙幣処理ユニット４０に収納されている紙幣の金種別の在高を示すデータである。
【００７２】
紙幣釣銭制御部４９は、紙幣処理ユニット４０を制御する制御部であり、入金処理部４９ｂ及び出金処理部４９ｃを有する。
【００７３】
入金処理部４９ｂは、紙幣の入金処理を行う処理部である。入金処理部４９ｂは、ＰＯＳレジ２０から会計金額を受信した場合や、追加入金の受付指示を受信した場合に、紙幣処理ユニット４０に対する紙幣の挿入を許可する。
【００７４】
その後、入金処理部４９ｂは、紙幣処理ユニット４０から挿入された紙幣の金種別の枚数を取得し、挿入された紙幣の合計金額を算定し、硬貨処理ユニット５０の通信部を介してＰＯＳレジ２０に通知を送信する。
【００７５】
出金処理部４９ｃは、紙幣の出金処理を行う処理部である。具体的には、出金処理部４９ｃは、硬貨処理ユニット５０の通信部５９ａを介してＰＯＳレジ２０から釣銭の出金指示を受けた場合に、釣銭の金額に応じて払い出すべき金種と枚数を決定し、紙幣の出金処理を行う。そして、釣銭の出金が正常に終了した場合には、硬貨処理ユニット５０の通信部５９ａを介してＰＯＳレジ２０に通知する。
【００７６】
硬貨処理ユニット５０は、通信部５９ａ、硬貨投入口５１、入金硬貨搬送部５２、硬貨識別部５２ａ、硬貨収納部５３、出金硬貨搬送部５４、硬貨払出口５５、表示操作部５６、硬貨記憶部５８及び硬貨釣銭制御部５９を備えている。通信部５９ａは、通信線を通してＰＯＳレジ２０及び紙幣処理ユニット４０とのデータ通信を行うためのインタフェース部である。
【００７７】
硬貨記憶部５８は、フラッシュメモリ等の不揮発性メモリ又はハードディスク装置等の二次記憶媒体等からなる記憶デバイスであり、硬貨在高データ５８ａなどを記憶する。硬貨在高データ５８ａは、硬貨処理ユニット５０に収納されている硬貨の金種別の在高を示すデータである。
【００７８】
硬貨釣銭制御部５９は、硬貨処理ユニット５０を制御する制御部であり、入金処理部５９ｂ及び出金処理部５９ｃを有する。
【００７９】
入金処理部５９ｂは、硬貨の入金処理を行う処理部である。入金処理部５９ｂは、ＰＯＳレジ２０から会計金額を受信した場合や追加入金の受付指示を受信した場合に、硬貨処理ユニット５０に対する硬貨の投入を許可する。
【００８０】
その後、入金処理部５９ｂは、硬貨処理ユニット５０に投入された硬貨の金種別の枚数を取得し、投入された硬貨の合計金額を算定し、ＰＯＳレジ２０に通知を送信する。
【００８１】
出金処理部５９ｃは、硬貨の出金処理を行う処理部である。具体的には、出金処理部５９ｃは、ＰＯＳレジ２０から釣銭の出金指示を受けた場合に、釣銭の金額に応じて払い出すべき金種と枚数を決定し、硬貨の出金処理を行う。そして、釣銭の出金が正常に終了した場合には、ＰＯＳレジ２０に通知する。
【００８２】
次に、紙幣処理ユニット４０及び硬貨処理ユニット５０の詳細について説明する。図９は、紙幣処理ユニット４０の構成を示す構成図である。図９に示すように、紙幣処理ユニット４０は、紙幣受入部４１と、紙幣払出部４２と、出金リジェクト部４３と、カセット装着部４４と、周回搬送部４５と、紙幣識別部４６と、金種別の紙幣収納部４７とを有する。
【００８３】
紙幣受入部４１は、紙幣投入口４１ａに対する紙幣の投入を受け付け、１枚ずつ周回搬送部４５に繰り出す処理部である。紙幣払出部４２は、周回搬送部４５から１枚ずつ搬送された紙幣を一時的に貯留し、払い出すべき全ての紙幣が揃った場合に紙幣払出口４２ａから投出することで紙幣を払い出す処理部である。
【００８４】
出金リジェクト部４３は、金種が識別できない等、出金に適さない紙幣を内部に集積する。例えば、出金処理時において紙幣収納部４７から繰り出された紙幣のうち、重送や斜行等の搬送異常により紙幣識別部４６で識別することができなかった紙幣は出金リジェクト部４３に搬送される。なお、紙幣受入部４１から取り込まれた紙幣のうち、入金処理時において汚損等により紙幣識別部４６で識別することができなかった紙幣は、入金リジェクト紙幣として紙幣払出部４２に返却される。
【００８５】
カセット装着部４４は、売上金の回収や釣銭の補充に用いる紙幣カセット６０を着脱可能である。
【００８６】
複数の紙幣収納部４７は、それぞれ対応する金種が設定されており、設定された金種の紙幣を収納するとともに、収納されている紙幣を１枚ずつ繰出可能である。
【００８７】
周回搬送部４５は、中央に周回搬送路を有しており、紙幣受入部４１、紙幣払出部４２、出金リジェクト部４３、カセット装着部４４及び複数の紙幣収納部４７と周回搬送路との間には接続搬送路が設けられている。また、周回搬送路には、紙幣の金種、真偽、正損、表裏、搬送状態等の識別を行う紙幣識別部４６が設けられている。
【００８８】
周回搬送部４５は、図４における時計回りの方向及び反時計回りの方向に周回搬送路を回転駆動することで、紙幣を１枚ずつ搬送することができる。具体的には、紙幣を紙幣収納部４７に収納する場合には、周回搬送路を図９における時計回りに回転駆動し、紙幣を紙幣収納部４７から繰り出す場合には、周回搬送路を図９における反時計回りに回転駆動することになる。この回転駆動の制御に加え、周回搬送路と各接続搬送部との間で紙幣の搬送経路を切り換えることで、周回搬送部４５は、紙幣の搬送先を制御する。
【００８９】
図１０は、硬貨処理ユニット５０の構成を示す構成図である。図１０に示すように、硬貨処理ユニット５０は、硬貨投入口５１、入金硬貨搬送部５２、金種別の硬貨収納部５３、出金硬貨搬送部５４及び硬貨払出口５５を有する。また、入金硬貨搬送部５２には硬貨識別部５２ａが設けられている。
【００９０】
入金硬貨搬送部５２は、硬貨投入口５１に投入された硬貨を１層１列状態で１枚ずつ筐体内に取り込む。具体的には、入金硬貨搬送部５２には繰出ベルト等からなる硬貨繰出機構が設けられており、硬貨投入口５１に対する硬貨の投入を検知すると、硬貨繰出機構が駆動されることにより硬貨が１枚ずつ繰り出される。
【００９１】
硬貨識別部５２ａは、入金硬貨搬送部５２に繰り出された硬貨の金種、真偽、正損、表裏、搬送状態等の識別を行う。入金硬貨搬送部５２は、硬貨識別部５２ａの識別結果に基づいて、硬貨の搬送先を決定する。このとき、真正と識別できない、汚損があるなど、硬貨収納部５３での収納に適さない硬貨は、リジェクト硬貨として硬貨払出口５５が搬送先となる。硬貨収納部５３での収納に適する硬貨であれば、金種の識別結果に対応する硬貨収納部５３が搬送先となる。
【００９２】
複数の硬貨収納部５３は、それぞれ対応する金種が設定されており、設定された金種の紙幣を収納するとともに、収納されている硬貨を１枚ずつ出金硬貨搬送部５４に繰り出することができる。出金硬貨搬送部５４は、硬貨収納部５３から繰り出された硬貨を搬送して硬貨払出口５５に投出する。
【００９３】
次に、ＰＯＳレジ２０による処理手順について説明する。図１１は、ＰＯＳレジ２０の処理手順を示すフローチャートである。まず、購入商品登録部２６ａは、バーコードリーダ２２により商品に付されたバーコードを読み取る（ステップＳ２０１）。その後、他の商品があるならば（ステップＳ２０２；Ｙｅｓ）、ステップＳ２０１に移行し、次の商品に付されたバーコードを読み取る。
【００９４】
全ての商品からバーコードを読み取ったならば（ステップＳ２０２；Ｎｏ）、会計金額算定部２６ｃは、全ての商品の価格を合計することで会計金額を算定する（ステップＳ２０３）。また、事前入金金額取得部２６ｂは、バーコードリーダ２２により事前入金レシートに印字されたコードを読み取って（ステップＳ２０４）、事前入金金額を取得する（ステップＳ２０５）。
【００９５】
入金金額が会計金額に満たない場合（ステップＳ２０６；Ｙｅｓ）、会計処理部２６ｄは、追加入金の受付を行う（ステップＳ２０７）。そして、事前入金金額と追加入金額を含めた入金額が会計金額以上となったならば（ステップＳ２０６；Ｎｏ）、会計処理部２６ｄは、会計金額の決済を行うことで会計処理を実行し（ステップＳ２０８）、釣銭金額を算定し（ステップＳ２０９）、釣銭機３０に釣銭を出金させる（ステップＳ２１０）。その後、会計レシート発行部２６ｅがレシートプリンタ２４により会計レシートを発行し（ステップＳ２１１）、処理を終了する。
【００９６】
なお、事前入金レシートを用いて会計処理を行った場合には、事前入金レシートを特定する情報（例えば事前入金レシート自体の識別情報)を使用済事前入金レシート情報として管理し、１の事前入金レシートが複数回使用される事態を防止するよう構成してもよい。かかる構成では、ステップＳ２０４で事前入金レシートを読み取った場合に、当該事前入金レシートが有効であるか、すなわち使用済事前入金レシートとして管理されていないかを判定し、有効である場合にステップＳ２０５以降の処理を行うことになる。ここで、事前入金レシートを使用可能なレジが複数存在する場合には、使用済事前入金レシートに関する情報を全てのレジが共有するよう管理する。
【００９７】
＜変形例＞
これまでの説明では、事前入金金額を印字した事前入金レシートを発行する構成を例示したが、事前入金金額は顧客が携行する媒体に関連付けることも可能である。事前入金金額を関連付ける媒体としては、例えば免許証、保険証など、個人を識別可能なものを用いることができる。また、携帯端末を一意に識別可能な識別情報を取得できる場合には、携帯端末を媒体として用いることもできる。
【００９８】
図１２は、顧客が携行する媒体に事前入金金額を関連付ける場合の説明図である。図１２に示した構成では、入金専用機１０及びＰＯＳレジ２０は、それぞれ管理装置７０と通信可能である。
【００９９】
入金専用機１０は、貨幣の入金を受け付けて事前入金金額を特定し、事前入金金額を関連付ける媒体から識別情報を取得したならば、管理装置７０に対して関連付け情報を送信する。この関連付け情報には、取得した媒体の識別情報と、事前入金金額と、入金専用機１０を識別するための処理装置ＩＤとが含まれる。管理装置７０は、入金専用機１０から受信した関連付け情報を事前入金テーブルに登録して保持する。
【０１００】
ＰＯＳレジ２０は、顧客が提示した媒体から識別情報を取得することができる。ＰＯＳレジ２０が取得した媒体の識別情報を管理装置７０に送信すると、管理装置７０は事前入金テーブルを参照し、識別情報に関連付けられた事前入金金額を読み出してＰＯＳレジ２０に送信する。ＰＯＳレジ２０は、管理装置７０から受信した事前入金金額を用いて会計処理を行い、事前入金金額が会計金額を超えている場合には、釣銭機３０から釣銭分の貨幣を出金する。
【０１０１】
このように、顧客が携行する媒体に事前入金金額を関連付けて管理装置７０が管理することで、事前入金レシートを用いることなく事前入金による会計が可能となり、迅速かつ効率的な会計処理を実現できる。
【０１０２】
図１３は、図１２に示した管理装置７０の構成を示す機能ブロック図である。図１３に示すように、管理装置７０は、表示部７１、操作部７２、通信部７３、記憶部７４及び制御部７５を有する。
【０１０３】
表示部７１は、液晶パネルなどの表示デバイスで構成され、操作者である店員に対する表示出力に用いられる。操作部７２は、キーボードやボタン等の操作デバイスで構成され、操作者である店員からの操作の受付けに用いられる。また、タッチパネルディスプレイなどを用い、表示部７１と操作部７２とを一体に構成してもよい。通信部７３は、入金専用機１０やＰＯＳレジ２０との通信を行う通信インタフェースである。
【０１０４】
記憶部７４は、ハードディスク装置又は不揮発性メモリなどからなる記憶デバイスであり、事前入金テーブル７４ａを記憶する。事前入金テーブル７４ａには、既に説明したように、入金専用機１０から受信した関連付け情報が登録される。
【０１０５】
制御部７５は、管理装置７０の全体制御を行う制御部であり、関連付け情報受信部７５ａ及び事前入金金額通知部７５ｂを有する。実際には、これらの機能部に対応するプログラムを図示しないＲＯＭや不揮発性メモリに記憶しておき、これらのプログラムをＣＰＵ（Central Processing Unit）にロードして実行することにより、関連付け情報受信部７５ａ及び事前入金金額通知部７５ｂにそれぞれ対応するプロセスを実行させることになる。
【０１０６】
関連付け情報受信部７５ａは、入金専用機１０から関連付け情報を受信し、事前入金テーブル７４ａに登録する処理を行う。事前入金金額通知部７５ｂは、ＰＯＳレジ２０から媒体の識別情報を受信した場合に、事前入金テーブル７４ａを参照し、識別情報に関連付けられた事前入金金額を読み出してＰＯＳレジ２０に通知する処理を行う。
【０１０７】
図１４は、図１３に示した事前入金テーブル７４ａの説明図である。図１４に示す事前入金テーブル７４ａは、媒体の識別情報に事前入金金額、日時、種別、処理装置ＩＤ等を対応付けたテーブルである。媒体の識別情報としては、免許番号、保険証番号、携帯ＩＤｍなどを用いることができる。また、処理装置ＩＤは入金専用機１０を識別する情報である。この他、会計に使用済みであるか否かのフラグ、ポイントカードＩＤ、ポイント残高等、任意のデータを対応付けることができる。
【０１０８】
図１４では、識別情報「Ａ０００１」に対し、事前入金金額「５０００円」、日時「２０１７／７／２７  ０９：０３」、種別「現金」、処理装置ＩＤ「Ｔ０３２２」などを対応付けた状態を示している。また、識別情報「Ｂ１２３４」に対し、事前入金金額「１００００円」、日時「２０１７／７／２７  １３：２７」、種別「現金」、処理装置ＩＤ「Ｔ００５５」などを対応付けた状態を示している。
【０１０９】
次に、管理装置７０による処理手順について説明する。図１５は、管理装置７０の処理手順を示すフローチャートである。管理装置７０の関連付け情報受信部７５ａは、入金専用機１０から関連付け情報を受信したか否かを判定し（ステップＳ３０１）、入金専用機１０から関連情報を受信したならば（ステップＳ３０１；Ｙｅｓ）、事前入金テーブル７４ａに登録して（ステップＳ３０２）、ステップＳ３０１に移行する。
【０１１０】
一方、関連付け情報を受信していなければ（ステップＳ３０１；Ｎｏ）、事前入金金額通知部７５ｂは、ＰＯＳレジ２０から媒体の識別情報を受信したか否かを判定する（ステップＳ３０３）。識別情報を受信していなければ（ステップＳ３０３；Ｎｏ）、ステップＳ３０１に移行し、識別情報を受信したならば（ステップＳ３０３；Ｙｅｓ）、事前入金金額通知部７５ｂは、事前入金テーブル７４ａに識別情報が登録済みであるか否かを判定する（ステップＳ３０４）。
【０１１１】
識別情報が事前入金テーブル７４ａに登録されていれば（ステップＳ３０４；Ｙｅｓ）、事前入金金額通知部７５ｂは、識別情報に関連付けられた事前入金金額を読み出してＰＯＳレジ２０に通知する（ステップＳ３０５）。一方、識別情報が事前入金テーブル７４ａに登録されていなければ（ステップＳ３０４；Ｎｏ）、事前入金金額通知部７５ｂは、ＰＯＳレジ２０にエラー通知を行う（ステップＳ３０６）。
【０１１２】
ステップＳ３０５又はステップＳ３０６の後、事前入金金額通知部７５ｂは、処理を終了するか否かを判定し（ステップＳ３０７）、処理を終了しない場合には（ステップＳ３０７；Ｎｏ）、ステップＳ３０１に移行する。そして、処理を終了するとの判定を行った場合に（ステップＳ３０７；Ｙｅｓ）、一連の処理を終了する。
【０１１３】
なお、会計処理を行った場合には、事前入金テーブル７４ａにおいて会計に使用済みであることを示すフラグをセットし、１の事前入金金額が複数回使用される事態を防止するよう構成してもよい。かかる構成では、ステップＳ３０４において識別情報が登録済みであるか否かを判定するとともに、会計に使用済みであるか否かを判定し、未使用であることを条件にステップＳ３０５に移行し、使用済みであればステップＳ３０６に移行することになる。
【０１１４】
これまでの説明では、店舗１に有人レジと入金専用機１０を設置する場合を例示したが、複数の店舗がテナントとしてはいる商業施設などでは、必ずしも各店舗に入金専用機１０を設置する必要は無い。すなわち、事前入金金額を関連付けた媒体を複数の店舗で使用可能とすることができる。
【０１１５】
図１６は、事前入金金額を関連付けた媒体を複数の店舗で使用可能とする構成の説明図である。図１６では、商業施設に店舗１〜５がテナントとして入っており、各店舗に有人レジが設けられている。そして、商業施設の出入口近傍の共有部分に入出金端末が設置されている。
【０１１６】
入出金端末は、入金専用機１０としての機能を有する装置であり、事前入金金額の媒体への関連付け、例えば事前入金レシートの発行を行うことができる。各店舗の有人レジでは、この事前入金レシートから事前入金金額を取得し、会計処理を行うことができる。
【０１１７】
ここで、会計処理において釣銭を払い出す必要が生じた場合に、会計処理を行った有人レジで釣銭を出金することとしてもよいが、釣銭の出金は入出金端末で行うこととしてもよい。入金を共用の装置で行い、出金を各店舗で行うこととすると、店舗では現金の入金がないまま出金のみが行われることになり、現金の適正な管理が煩雑となるためである。
【０１１８】
入出金端末で釣銭の出金を行う場合には、会計処理を行った有人レジで釣銭金額を指定した釣銭出金レシートを発行し、入出金端末に釣銭出金レシートを読み取らせて、釣銭金額分の出金処理を行わせればよい。
【０１１９】
上述してきたように、本実施例１に係る会計システムでは、入金専用機１０が貨幣の入金を受け付けて収納するとともに、受け付けた貨幣の金額に対応する有価価値を、商品の会計に利用される所定の媒体に事前入金金額として関連付ける。そして、ＰＯＳレジ２０は媒体に関連付けられた事前入金金額を取得して会計処理を行い、必要に応じて釣銭機３０から釣銭を払い出す。かかる構成により、顧客から受け取った貨幣を釣銭機３０に入金する必要がなくなるため、迅速かつ効率的な会計処理が可能となる。
【０１２０】
事前入金金額を関連付ける媒体としては、事前入金金額を示すコードを印字した事前入金レシートを用いればよい。このように事前入金金額をコード化すれば、ＰＯＳレジ２０では商品に付されたバーコードの読取に用いるバーコードリーダで事前入金金額を読み取ることができるためである。なお、バーコードを印字したレシートに限らず、ＩＣカードなどに事前入金金額を記憶させて発行する構成であっても同様に用いることができる。
【０１２１】
また、事前入金金額を関連付ける媒体としては、免許証などを用いることもできる。この場合には、入金専用機１０は免許証などの媒体から識別情報を読みとって事前入金金額とともに管理装置７０に送信し、管理装置７０が媒体の識別情報と事前入金金額とを関連付けて記憶し、ＰＯＳレジ２０から媒体の識別情報を受信した場合に関連付けた事前入金金額を通知すればよい。
【０１２２】
なお、事前入金金額には、使用期限を設定することが望ましい。具体的には、事前入金金額の利用は当日のみに限定し、退店前に使用又は払い戻しを行わせればよい。事前入金金額の払い戻しは、ＰＯＳレジ２０及び釣銭機３０によって行うことができるほか、入金専用機１０で行うことも可能とすることが好適である。
【実施例２】
【０１２３】
上述した実施例１では、レジ係員が商品の登録と会計に係る操作を行う場合について説明を行った。本実施例２では、セミセルフレジ及びセルフレジに本発明を適用する場合について説明する。セミセルフレジでは、商品の登録を行うＰＯＳレジと会計を行う会計装置とを分離して設置し、レジ係員がＰＯＳレジを操作して商品の登録を行い、顧客が会計装置を操作して会計を行う。また、セルフレジでは、商品の登録に係る操作と会計に係る操作を顧客自身が行う。
【０１２４】
＜セミセルフレジの構成と動作＞
図１７は、セミセルフレジを採用したレイアウトの具体例についての説明図である。図１７では、店舗の出入口近傍に入金専用機１０を設置している。また、店舗内にチェックアウトエリアとサッカーエリアを設け、チェックアウトエリアとサッカーエリアとの間にエリア出入口を設けている。
【０１２５】
チェックアウトエリアには、商品の登録を行う登録エリアと、会計を行う会計エリアとが含まれる。登録エリアには、ＰＯＳレジ１２０が複数設置され、操作を行うレジ係員Ｂがそれぞれ配置される。会計エリアには、複数の会計装置１３０が設置され、顧客による操作が可能である。
【０１２６】
図１７に示した構成では、店舗に入店した顧客は、まず入金専用機１０により事前の入金を行って事前入金レシートを受け取る。その後、店舗内で所望の商品を買い物カゴに入れて登録エリアに進み、買い物カゴをレジ係員Ｂに渡す。レジ係員Ｂは、ＰＯＳレジ１２０を操作して、買い物カゴ内に所在する商品の登録を行う。全ての商品を登録した後、ＰＯＳレジ１２０は、購入商品レシートを発行する。この購入商品レシートは、購入した商品に係る情報が印字されるとともに、会計金額を示すコードが印字されている。会計金額は、商品が一つの場合には該商品の価格となり、商品が複数の場合には複数の商品の価格の合計となる。
【０１２７】
その後、顧客は、登録を終えた商品が内在する買い物カゴと購入商品レシートとを持参して、会計装置１３０に移動する。顧客が会計装置１３０に購入商品レシート及び事前入金レシートを読み取らせると、会計装置１３０は、それぞれのレシートから会計金額と事前入金金額を取得して会計処理を行い、必要に応じて釣銭を払い出す。会計処理の後、顧客はチェックアウトエリアを出て、サッカーエリアに設けられたサッカー台で商品の袋詰めを行なう。
【０１２８】
次に、図１７に示したＰＯＳレジ１２０の機能構成について説明する。図１８は、図１７に示したＰＯＳレジ１２０の機能構成を示す機能ブロック図である。図１８に示すように、ＰＯＳレジ１２０は、表示操作部２１、バーコードリーダ２２、カードリーダ２３、レシートプリンタ２４、通信部２５、ＰＯＳ制御部１２６及び記憶部１２７を有する。
【０１２９】
表示操作部２１、バーコードリーダ２２、カードリーダ２３、レシートプリンタ２４、通信部２５については、実施例１に示したＰＯＳレジ２０と同様であるので、説明を省略する。
【０１３０】
記憶部１２７は、フラッシュメモリ等の不揮発性メモリ又はハードディスク装置等の二次記憶媒体等からなる記憶デバイスであり、購入商品ログデータ１２７ａを記憶する。購入商品ログデータ１２７ａは、登録した商品に係る情報（商品名、数量、価格など）、会計金額、日時、ＰＯＳレジ１２０の識別情報、レジ係員Ｂの識別情報などが登録される。
【０１３１】
ＰＯＳ制御部１２６は、ＰＯＳレジ１２０を全体制御する制御部であり、購入商品登録部２６ａ、会計金額算定部２６ｃ及び購入商品レシート発行部１２６ａを有する。
【０１３２】
購入商品登録部２６ａは、購入対象となる商品の登録を行う処理部である。具体的には、バーコードリーダ２２が商品に付されたバーコードを読み取って商品の名称や価格等の情報を取得した場合に、購入商品登録部２６ａは、取得された情報を用いて商品の登録を行い、登録した商品を表示する。会計金額算定部２６ｃは、購入商品登録部２６ａにより登録された全ての商品の価格を合計することで会計金額を算定し、表示する処理を行う。
【０１３３】
購入商品レシート発行部１２６ａは、購入商品レシートの発行を行う処理部である。具体的には、購入商品レシート発行部１２６ａは、会計金額算定部２６ｃにより算定された会計金額を示すコードを生成し、生成したコードをレシートプリンタ２４に印字させることで購入商品レシートを発行する。また、購入商品レシートには、登録した商品に係る情報（商品名、数量、価格など）、会計金額、日時、ＰＯＳレジ１２０の識別情報、レジ係員Ｂの識別情報などをさらに印字してもよい。また、これらの情報の一部又は全てをコード化し、購入商品レシートに印字することもできる。
【０１３４】
購入商品レシート発行部１２６ａは、購入商品レシートの発行を行った場合に、登録した商品に係る情報（商品名、数量、価格など）、会計金額、日時、ＰＯＳレジ１２０の識別情報、レジ係員Ｂの識別情報などを購入商品ログデータ１２７ａに登録する。
【０１３５】
次に、ＰＯＳレジ１２０による処理手順について説明する。図１９は、ＰＯＳレジ１２０の処理手順を示すフローチャートである。まず、購入商品登録部２６ａは、バーコードリーダ２２により商品に付されたバーコードを読み取る（ステップＳ４０１）。その後、他の商品があるならば（ステップＳ４０２；Ｙｅｓ）、ステップＳ４０１に移行し、次の商品に付されたバーコードを読み取る。
【０１３６】
全ての商品からバーコードを読み取ったならば（ステップＳ４０２；Ｎｏ）、会計金額算定部２６ｃは、全ての商品の価格を合計することで会計金額を算定する（ステップＳ４０３）。その後、購入商品レシート発行部１２６ａが購入商品ログデータ１２７ａへの登録（ステップＳ４０４）と、購入商品レシートの発行を行って（ステップＳ４０５）、処理を終了する。
【０１３７】
次に、図１７に示した会計装置１３０の機能構成について説明する。図２０は、図１７に示した会計装置１３０の機能構成を示す機能ブロック図である。図２０に示すように、会計装置１３０は、表示操作部１３１、バーコードリーダ１３２、カードリーダ１３３、レシートプリンタ１３４、通信部１３５及び会計制御部１３６を有するとともに、釣銭機３０を内蔵する。釣銭機３０の構成及び動作は、実施例１と同様であるので説明を省略する。
【０１３８】
表示操作部１３１は、操作者である顧客に対する情報出力と、操作者である顧客からの入力受付とを行う。バーコードリーダ１３２は、事前入金レシート及び購入商品レシートのコードの読み取りに用いられる。カードリーダ１３３は、クレジットカード、デビットカード、プリペイドカード等のペイメントカードによる会計時に用いられる。
【０１３９】
レシートプリンタ１３４は、取引内容を印字した会計レシートの発行に用いられる。レシートに印字される取引内容は、例えば日時、登録された商品の名称、価格、投入された貨幣の金額や事前入金金額、釣銭の金額、ポイント残高などである。通信部１３５は、釣銭機３０や外部のサーバとの通信を行う通信インタフェースである。
【０１４０】
会計制御部１３６は、会計装置１３０を全体制御する制御部であり、購入商品データ取得部１３６ａ、事前入金金額取得部１３６ｂ、会計処理部１３６ｃ及び会計レシート発行部１３６ｄを有する。
【０１４１】
購入商品データ取得部１３６ａは、バーコードリーダ１３２により購入商品レシートに印字されたコードを読み取って会計金額や商品に関する情報を取得する処理を行う。
【０１４２】
事前入金金額取得部１３６ｂは、バーコードリーダ１３２により事前入金レシートに印字されたコードを読み取って事前入金金額を取得する処理を行う。また、事前入金レシートに印字されたコードにポイントカードのＩＤが含まれている場合には、ポイントカードのＩＤの取得をさらに行う。
【０１４３】
会計処理部１３６ｃは、購入商品データ取得部１３６ａにより取得された会計金額の決済を行って取引を完了する会計処理を行う処理部である。会計金額の決済は、事前入金金額を用いて行うことができる。事前入金金額を用いて会計処理を行う場合に、事前入金金額が不足しているならば、釣銭機３０に対する追加入金を受け付けて、入金された金額を事前入金金額に加算し、会計処理を行うことが可能である。また、事前入金金額を用いて会計処理を行う場合に、事前入金金額が会計金額を超えているならば、その差分を釣銭として釣銭機３０に払い出させる。
【０１４４】
なお、会計処理はペイメントカードや現金により行うこともできる。ペイメントカードによる決済が選択された場合には、会計処理部１３６ｃは、カードリーダ１３３に挿入されたペイメントカードからカードＩＤ等の情報を取得し、会計金額とともに外部のサーバに送信することで決済を行う。また、現金による決済が選択された場合には、会計処理部１３６ｃは、釣銭機３０に会計金額を送信し、釣銭機３０から会計完了通知を受信した場合に決済を完了する。
【０１４５】
会計レシート発行部１３６ｄは、会計処理が完了した場合に、レシートプリンタ１３４により会計レシートの発行を行う処理部である。会計レシートには、既に説明したように、日時、登録された商品の名称、価格、投入された貨幣の金額や事前入金金額、釣銭の金額、ポイント残高などが印字される。
【０１４６】
次に、会計装置１３０による処理手順について説明する。図２１は、会計装置１３０の処理手順を示すフローチャートである。まず、購入商品データ取得部１３６ａは、バーコードリーダ１３２により購入商品レシートに印字されたコードを読み取って（ステップＳ５０１）、会計金額を取得する（ステップＳ５０２）。また、事前入金金額取得部１３６ｂは、バーコードリーダ１３２により事前入金レシートに印字されたコードを読み取って（ステップＳ５０３）、事前入金金額を取得する（ステップＳ５０４）。
【０１４７】
入金金額が会計金額に満たない場合（ステップＳ５０５；Ｙｅｓ）、会計処理部１３６ｃは、追加入金の受付を行う（ステップＳ５０６）。そして、事前入金金額と追加入金額を含めた入金額が会計金額以上となったならば（ステップＳ５０５；Ｎｏ）、会計処理部１３６ｃは、会計金額の決済を行うことで会計処理を実行し（ステップＳ５０７）、釣銭金額を算定し（ステップＳ５０８）、釣銭機３０に釣銭を出金させる（ステップＳ５０９）。その後、会計レシート発行部１３６ｄがレシートプリンタ１３４により会計レシートを発行し（ステップＳ５１０）、処理を終了する。
【０１４８】
なお、事前入金レシートを用いて会計処理を行った場合には、事前入金レシートを特定する情報（例えば事前入金レシート自体の識別情報)を使用済事前入金レシート情報として管理し、１の事前入金レシートが複数回使用される事態を防止するよう構成してもよい。かかる構成では、ステップＳ５０３で事前入金レシートを読み取った場合に、当該事前入金レシートが有効であるか、すなわち使用済事前入金レシートとして記憶されていないかを判定し、有効である場合にステップＳ５０４以降の処理を行うことになる。ここで、事前入金レシートを使用可能なレジが複数存在する場合には、使用済事前入金レシートに関する情報を全てのレジが共有するよう管理する。
【０１４９】
＜セルフレジの構成＞
次に、セルフレジに用いられる会計装置について説明する。図２２は、セルフレジに用いられる会計装置２００の外観構成を示す外観構成図である。会計装置２００は、ＰＯＳレジ２２０と釣銭機３０を内蔵しており、ＰＯＳレジ２２０の表示操作部２２１、バーコードリーダ２２２、カードリーダ２２３、釣銭機３０の表示操作部５６、紙幣投入口４１ａ、紙幣払出口４２ａ、硬貨投入口５１、硬貨払出口５５を有する。
【０１５０】
また、会計装置２００には、商品台２１１及び商品台２１２が併設されている。商品台２１１と商品台２１２の一方は、未登録の商品を載置する台であり、他方は登録済の商品を載置する台である。例えば、商品台２１１を未登録の商品の載置に用い、商品台２１２を登録済の商品の載置に用いる場合には、商品台２１１に買い物カゴのイラストを付し、商品台２１２に買い物袋のイラストを付しておく。
【０１５１】
顧客は、購入対象の商品を買い物カゴに入れたままの状態で商品台２１１に載置し、商品をとりだしてバーコードリーダ２２２に翳して登録し、商品台２１２に移す操作を繰り返すことになる。なお、バーコードリーダ２２２は、商品に付されたバーコードを読み取ることで商品の名称や価格等の情報を取得することができ、会計装置２００はバーコードから取得された情報を用いて商品の登録を行う。また、バーコードリーダ２２２は、事前購入レシートの読み取りにも用いることができる。
【０１５２】
ＰＯＳレジ２２０の表示操作部２２１は、液晶タッチパネルディスプレイなどであり、操作の案内表示や登録された商品の表示を行う他、各種操作入力を受け付けることができる。カードリーダ２２３は、クレジットカード、デビットカード、プリペイドカード等のペイメントカードによる会計時に用いられる。
【０１５３】
紙幣投入口４１ａと硬貨投入口５１は、それぞれ紙幣と硬貨の投入に用いられ、紙幣払出口４２ａと硬貨払出口５５は、それぞれ紙幣と硬貨の投出に用いられる。例えば、顧客は、商品の登録後、表示操作部２１に表示された価格を確認し、商品の対価となる貨幣を紙幣投入口４１ａや硬貨投入口５１に投入する。そして、釣銭の出金処理が必要であれば、会計装置２００は紙幣払出口４２ａや硬貨払出口５５へ釣銭としての貨幣を出金処理する。
【０１５４】
釣銭機３０の表示操作部５６は、液晶タッチパネルディスプレイ等であり、釣銭機３０に収納された貨幣の金種別在高の表示や検知した障害に係る表示など、釣銭機３０に係る表示を行うとともに、釣銭機３０に係る操作の受付を行う。
【０１５５】
図２３は、会計装置２００の機能構成を示す機能ブロック図である。図２３に示すように、会計装置２００は、商品の登録を行うＰＯＳレジ２２０と貨幣の入出金を行う釣銭機３０とを内蔵している。釣銭機３０の構成及び動作は、実施例１と同様であるので説明を省略する。
【０１５６】
ＰＯＳレジ２２０は、既に説明した表示操作部２２１、バーコードリーダ２２２及びカードリーダ２２３に加え、レシートプリンタ２２４、通信部２２５及びＰＯＳ制御部２２６を有する。レシートプリンタ２２４は、取引内容を印字した会計レシートの発行に用いられる。会計レシートに印字される取引内容は、例えば日時、登録された商品の名称、価格、投入された貨幣の金額や事前入金金額、釣銭の金額、ポイント残高などである。通信部２５は、釣銭機３０や外部のサーバとの通信を行う通信インタフェースである。
【０１５７】
ＰＯＳ制御部２２６は、ＰＯＳレジ２２０を全体制御する制御部であり、購入商品登録部２２６ａ、事前入金金額取得部２２６ｂ、会計金額算定部２２６ｃ、会計処理部２２６ｄ及び会計レシート発行部２２６ｅを有する。また、ＰＯＳ制御部２２６は、商品台２１１及び商品台２１２にそれぞれ設けられた重量センサ２２７ａ及び重量センサ２２７ｂから重量の計測結果を取得することができる。ここでは、重量センサ２２７ａを未登録の商品の載置に用いる商品台２１１に設け、重量センサ２２７ｂを登録済の商品の載置に用いる商品台２１２に設けた構成を例に説明する。
【０１５８】
購入商品登録部２２６ａは、購入対象となる商品の登録を行う処理部である。具体的には、バーコードリーダ２２２が商品に付されたバーコードを読み取って商品の名称や価格等の情報を取得した場合に、購入商品登録部２２６ａは、取得された情報を用いて商品の登録を行い、登録した商品を表示操作部２２１に表示する。
【０１５９】
購入商品登録部２２６ａは、重量センサ２２７ａ及び重量センサ２２７ｂの計測結果を用いて登録した商品が商品台２１２に置かれたか否かを判定し、登録した商品が商品台２１２に置かれた場合に次の商品を登録可能な状態となる。
【０１６０】
すなわち、商品の登録前に生じた重量センサ２２７ａの計測結果の減少が商品の重量に対応するので、重量センサ２２７ｂの計測結果が商品の重量分増加したときに「登録した商品が商品台２１２に置かれた」と判定し、次の商品の登録を可能とするのである。
【０１６１】
また、購入商品登録部２２６ａは、重量センサ２２７ａの計測結果が買い物カゴの重量相当となり、最後に登録された商品が商品台２１２に置かれたと判定した場合に、商品の登録を終了する。
【０１６２】
事前入金金額取得部２２６ｂは、バーコードリーダ２２２により事前入金レシートに印字されたコードを読み取って事前入金金額を取得する処理を行う。また、事前入金レシートに印字されたコードにポイントカードのＩＤが含まれている場合には、ポイントカードのＩＤの取得をさらに行う。
【０１６３】
会計金額算定部２２６ｃは、購入商品登録部２２６ａにより登録された全ての商品の価格を合計することで会計金額を算定し、表示操作部２２１に表示する処理を行う。
【０１６４】
会計処理部２２６ｄは、会計金額算定部２２６ｃにより算定された会計金額の決済を行って取引を完了する会計処理を行う処理部である。会計金額の決済は、事前入金金額を用いて行うことができる。事前入金金額を用いて会計処理を行う場合に、事前入金金額が不足しているならば、釣銭機３０に対する追加入金を受け付けて、入金された金額を事前入金金額に加算し、会計処理を行うことが可能である。また、事前入金金額を用いて会計処理を行う場合に、事前入金金額が会計金額を超えているならば、その差分を釣銭として釣銭機３０に払い出させる。
【０１６５】
なお、会計処理はペイメントカードや現金により行うこともできる。ペイメントカードによる決済が選択された場合には、会計処理部２２６ｄは、カードリーダ２２３に挿入されたペイメントカードからカードＩＤ等の情報を取得し、会計金額とともに外部のサーバに送信することで決済を行う。また、現金による決済が選択された場合には、会計処理部２２６ｄは、釣銭機３０に会計金額を送信し、釣銭機３０から会計完了通知を受信した場合に決済を完了する。
【０１６６】
会計レシート発行部２２６ｅは、会計処理が完了した場合に、レシートプリンタ２２４により会計レシートの発行を行う処理部である。会計レシートには、既に説明したように、日時、登録された商品の名称、価格、投入された貨幣の金額や事前入金金額、釣銭の金額、ポイント残高などが印字される。
【０１６７】
上述したように、セミセルフレジやセルフレジを用いる場合であっても、実施例１と同様に、入金専用機１０が受け付けた貨幣の金額に対応する有価価値を所定の媒体に関連付け、事前入金金額を用いて会計処理を行い、必要に応じて釣銭機３０から釣銭を払い出すことができる。このため、顧客から受け取った貨幣を釣銭機３０に入金する必要がなくなり、迅速かつ効率的な会計処理が可能となる。
【０１６８】
また、事前入金金額を関連付ける媒体として、事前入金レシート、ＩＣカード、免許証などを用いることもできる点についても実施例１と同様である。さらに、事前入金金額に、使用期限を設定可能である点についても実施例１と同様である。
【０１６９】
なお、上記の実施例１及び実施例２では、入金専用機１０が紙幣のみを取り扱う場合を例に説明を行ったが、入金専用機１０が紙幣と硬貨の双方を取り扱うことができるように構成してもよい。
【０１７０】
また、上記の実施例１及び実施例２では、事前入金レシート自体の識別番号を印字して発行する構成を例示したが、事前入金レシート自体の識別情報は必ずしも付与する必要は無い。例えば、使用した事前入金レシートを回収したり、使用した事前入金レシートに使用済みであることを示す印字などを行ってもよい。
【０１７１】
また、上記の実施例１及び実施例２では、詳細な説明を省略したが、事前入金レシート自体の識別番号を管理して使用済みの事前入金の消し込みを行うことも可能である。同様に、事前入金テーブル７４ａにおいて使用済みであるか否かをフラグにより管理し、消し込みを行うこともできる。
【０１７２】
また、事前入金レシートは単独での使用に限定されるものでなく、複数枚の事前入金レシートを合算して使用可能としてもよい。同様に、免許証などの識別情報に関連付けて複数回の事前入金を行った場合には、事前入金テーブル７４ａにおいて同一の識別情報に関連付けられた複数の事前入金金額を合算して使用可能としてもよい。
【０１７３】
また、上記の実施例１及び２では、本発明をスーパーマーケット等の会計システムに適用した場合を示したが、本発明はこれに限定されるものではなく、任意の会計システムに適用することができる。
【０１７４】
また、上記の実施例及び変形例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１７５】
以上のように、本発明に係る貨幣入金機及び会計システムは、店舗のレジにおける迅速かつ効率的な会計処理を可能とする場合に適している。
【符号の説明】
【０１７６】
１〜５  店舗
１０  入金専用機
１１、２１、５６、１３１、２２１  表示操作部
１２  音声出力部
１３、２３、１３３、２２３  カードリーダ
１４、２４、１３４、２２４  レシートプリンタ
１５、２５、４９ａ、５９ａ、７３、１３５、２２５  通信部
１６、７４、１２７  記憶部
１６ａ  入金履歴データ
１７、７５  制御部
１７ａ  表示制御部
１７ｂ  貨幣受付部
１７ｃ  事前入金金額特定部
１７ｄ  ポイントカード処理部
１７ｅ  関連付処理部
１７ｆ  コード生成部
１７ｇ  事前入金レシート発行部
１８、４０  紙幣処理ユニット
１８ａ、４１ａ  紙幣投入口
１８ｂ、４２ａ  紙幣払出口
１８ｃ、４１  紙幣受入部
１８ｄ、４２  紙幣払出部
１８ｅ、４４  カセット装着部
１８ｆ、４３  出金リジェクト部
１８ｇ、４５  周回搬送部
１８ｈ、４６  紙幣識別部
１８ｉ、４７  紙幣収納部
１９  収納カセット
２０、１２０、２２０  ＰＯＳレジ
２１ａ、２１ｂ、７１  表示部
２１ｃ、７２  操作部
２２、１３２，２２２  バーコードリーダ
２６、１２６、２２６  ＰＯＳ制御部
２６ａ、２２６ａ  購入商品登録部
２６ｂ、１３６ｂ、２２６ｂ  事前入金金額取得部
２６ｃ、２２６ｃ  会計金額算定部
２６ｄ、１３６ｃ、２２６ｄ  会計処理部
２６ｅ、１３６ｄ、２２６ｅ  会計レシート発行部
３０  釣銭機
４８  紙幣記憶部
４８ａ  紙幣在高データ
４９  紙幣釣銭制御部
４９ｂ、５９ｂ  入金処理部
４９ｃ、５９ｃ  出金処理部
５０  硬貨処理ユニット
５１  硬貨投入口
５２  入金硬貨搬送部
５２ａ  硬貨識別部
５３  硬貨収納部
５４  出金硬貨搬送部
５５  硬貨払出口
５８  硬貨記憶部
５８ａ  硬貨在高データ
５９  硬貨釣銭制御部
６０  紙幣カセット
７０  管理装置
７４ａ  事前入金テーブル
７５ａ  関連付け情報受信部
７５ｂ  事前入金金額通知部
１２６ａ  購入商品レシート発行部
１２７ａ  購入商品ログデータ
１３０、２００  会計装置
１３６  会計制御部
１３６ａ  購入商品データ取得部
２１１、２１２  商品台
２２７ａ、２２７ｂ  重量センサ
【図１】
2019106073.tif 000003
【図２】
2019106073.tif 000004
【図３】
2019106073.tif 000005
【図４】
2019106073.tif 000006
【図５】
2019106073.tif 000007
【図６】
2019106073.tif 000008
【図７】
2019106073.tif 000009
【図８】
2019106073.tif 000010
【図９】
2019106073.tif 000011
【図１０】
2019106073.tif 000012
【図１１】
2019106073.tif 000013
【図１２】
2019106073.tif 000014
【図１３】
2019106073.tif 000015
【図１４】
2019106073.tif 000016
【図１５】
2019106073.tif 000017
【図１６】
2019106073.tif 000018
【図１７】
2019106073.tif 000019
【図１８】
2019106073.tif 000020
【図１９】
2019106073.tif 000021
【図２０】
2019106073.tif 000022
【図２１】
2019106073.tif 000023
【図２２】
2019106073.tif 000024
【図２３】
2019106073.tif 000025